(57)【要約】  本発明の実施例は、ＭＭＥを選択するための方法、装置、及びシステムを提供する。方法は、基地局により、ユーザ装置のＲＲＣ接続要求を受信するステップと、基地局に接続された複数のＭＭＥの優先順位情報を取得するステップと、取得された優先順位情報に従って複数のＭＭＥの中からユーザ装置のためのサービングＭＭＥを選択するステップとを含む。ｅＮＢはＭＭＥの優先順位に従ってＭＭＥを選択し、ＭＭＥの優先順位は事前設定されることができ、優先順位を設定する場合に、異なるシナリオにおける必要条件が考慮されることができるとともに、異なる優先順位が異なるＭＭＥに対して設定されることができ、したがって、基地局により選択されるＭＭＥが異なるシナリオにおける必要条件に更に準拠し、ネットワーク管理の柔軟性が改善される、ということが理解されることができる。
2016527759.tif 000002
【特許請求の範囲】
【請求項１】
モビリティ管理エンティティＭＭＥを選択するための方法であって、
基地局により、ユーザ装置の無線リソース制御ＲＲＣ接続要求を受信するステップと、
前記基地局により、前記基地局に接続された複数のＭＭＥの優先順位情報を取得するステップと、
前記基地局により、前記の取得された優先順位情報に従って前記複数のＭＭＥの中から前記ユーザ装置のためのサービングＭＭＥを選択するステップとを含む、方法。
【請求項２】
前記複数のＭＭＥが第１のＭＭＥプールにおけるＭＭＥ及び第２のＭＭＥプールにおけるＭＭＥを含み、前記第２のＭＭＥプールが前記第１のＭＭＥプールに対してバックアップを提供し、前記第１のＭＭＥプールにおける最優先ＭＭＥの優先順位が第１の優先順位であり、前記第２のＭＭＥプールにおける最優先ＭＭＥの優先順位が第２の優先順位であり、前記第１の優先順位が前記第２の優先順位と異なる、請求項１に記載の方法。
【請求項３】
前記第１の優先順位が前記第２の優先順位より高い、請求項２に記載の方法。
【請求項４】
前記基地局により、前記の取得された優先順位情報に従って前記複数のＭＭＥの中から前記ユーザ装置のためのサービングＭＭＥを選択する前記ステップが、下記の、
各ＭＭＥプールの優先順位が前記ＭＭＥプールの中の最優先ＭＭＥの優先順位であるとして、最初に最優先ＭＭＥプールの中から前記ユーザ装置のためのＭＭＥを選択するとともに、
前記最優先ＭＭＥプールにおいてＭＭＥが利用可能ではない場合に、準最優先ＭＭＥプールの中からＭＭＥを選択する原則に従う、請求項２又は請求項３に記載の方法。
【請求項５】
前記基地局により、前記の取得された優先順位情報に従って前記複数のＭＭＥの中から前記ユーザ装置のためのサービングＭＭＥを選択する前記ステップが、下記の、
ＭＭＥプールにおいて最初に最優先ＭＭＥを選択する原則に更に従う、請求項４に記載の方法。
【請求項６】
前記基地局により、前記の取得された優先順位情報に従って前記複数のＭＭＥの中から前記ユーザ装置のためのサービングＭＭＥを選択する前記ステップが、下記の、
複数のＭＭＥが同じ優先順位を有する場合に、前記同じ優先順位を有する前記複数のＭＭＥの中から前記ＭＭＥの収容能力及び負荷に従って前記ユーザ装置のためのＭＭＥを選択する原則に更に従う、請求項４又は請求項５に記載の方法。
【請求項７】
前記基地局により、前記の取得された優先順位情報に従って前記複数のＭＭＥの中から前記ユーザ装置のためのサービングＭＭＥを選択する前記ステップが、
前記基地局により、前記複数のＭＭＥにおいて最高の優先順位を有する第１のＭＭＥを判定するステップと、
前記基地局により、前記第１のＭＭＥを含む第１のＭＭＥプールを判定するステップと、
前記基地局により、前記第１のＭＭＥプールが利用可能なＭＭＥを含む場合に、前記第１のＭＭＥプールにおける前記利用可能なＭＭＥの中から前記ユーザ装置のための前記サービングＭＭＥを選択するステップ、又は、
前記基地局により、前記第１のＭＭＥプールが利用可能なＭＭＥを含まない場合に、前記第１のＭＭＥプールを除くＭＭＥプールの中から前記ユーザ装置のための前記サービングＭＭＥを選択するステップとを含む、請求項１から請求項６のいずれか一項に記載の方法。
【請求項８】
前記基地局により、前記の取得された優先順位情報に従って前記複数のＭＭＥの中から前記ユーザ装置のためのサービングＭＭＥを選択する前記ステップが、
前記基地局により、前記複数のＭＭＥにおいて最高の優先順位を有する第１のＭＭＥを判定するステップと、
前記基地局により、前記第１のＭＭＥが利用可能である場合に、前記第１のＭＭＥを前記サービングＭＭＥとして選択するステップ、又は、
前記基地局により、前記第１のＭＭＥが利用不可能であるとともに、前記第１のＭＭＥを含む第１のＭＭＥプールが利用可能なＭＭＥを含む場合に、前記第１のＭＭＥプールにおける前記利用可能なＭＭＥの中から前記ユーザ装置のための前記サービングＭＭＥを選択するステップ、又は、
前記基地局により、前記第１のＭＭＥが利用不可能であるとともに、前記第１のＭＭＥを含む第１のＭＭＥプールが利用可能なＭＭＥを含まない場合に、前記第１のＭＭＥプールを除くＭＭＥプールの中から前記ユーザ装置のための前記サービングＭＭＥを選択するステップとを含む、請求項１から請求項６のいずれか一項に記載の方法。
【請求項９】
前記基地局により、前記第１のＭＭＥプールにおける前記利用可能なＭＭＥの中から前記ユーザ装置のための前記サービングＭＭＥを選択する前記ステップが、
前記基地局により、前記第１のＭＭＥプールにおける前記利用可能なＭＭＥの中から最優先ＭＭＥを前記サービングＭＭＥとして選択するステップ、又は、
前記基地局により、前記第１のＭＭＥプールにおける前記利用可能なＭＭＥの収容能力及び負荷に従って前記サービングＭＭＥを選択するステップを含む、請求項７又は請求項８に記載の方法。
【請求項１０】
前記基地局により、前記第１のＭＭＥプールを除くＭＭＥプールの中から前記ユーザ装置のための前記サービングＭＭＥを選択する前記ステップが、
前記基地局により、前記第１のＭＭＥプールを除く前記ＭＭＥプールの中から前記最高の優先順位を有する利用可能なＭＭＥを前記サービングＭＭＥとして選択するステップ、又は、
前記基地局により、前記第１のＭＭＥプールを除く前記ＭＭＥプールにおける利用可能なＭＭＥの収容能力及び負荷に従って前記サービングＭＭＥを選択するステップを含む、請求項７から請求項９のいずれか一項に記載の方法。
【請求項１１】
基地局であって、
ユーザ装置の無線リソース制御ＲＲＣ接続要求を受信するように構成される受信ユニットと、
前記基地局に接続された複数のＭＭＥの優先順位情報を取得するように構成される取得ユニットと、
前記取得ユニットにより取得された前記優先順位情報に従って前記複数のＭＭＥの中から前記ユーザ装置のためのサービングＭＭＥを選択するように構成される選択ユニットとを備える、基地局。
【請求項１２】
前記複数のＭＭＥが第１のＭＭＥプールにおけるＭＭＥ及び第２のＭＭＥプールにおけるＭＭＥを含み、前記第２のＭＭＥプールが前記第１のＭＭＥプールに対してバックアップを提供し、前記第１のＭＭＥプールにおける最優先ＭＭＥの優先順位が第１の優先順位であり、前記第２のＭＭＥプールにおける最優先ＭＭＥの優先順位が第２の優先順位であり、前記第１の優先順位が前記第２の優先順位と異なる、請求項１１に記載の基地局。
【請求項１３】
前記第１の優先順位が前記第２の優先順位より高い、請求項１２に記載の基地局。
【請求項１４】
前記の取得された優先順位情報に従って前記複数のＭＭＥの中から前記ユーザ装置のための前記サービングＭＭＥを選択する場合に、前記選択ユニットが、下記の、
各ＭＭＥプールの優先順位が前記ＭＭＥプールの中の最優先ＭＭＥの優先順位であるとして、最初に最優先ＭＭＥプールの中から前記ユーザ装置のためのＭＭＥを選択するとともに、
前記最優先ＭＭＥプールにおいてＭＭＥが利用可能ではない場合に、準最優先ＭＭＥプールの中からＭＭＥを選択する原則に従う、請求項１２又は請求項１３に記載の基地局。
【請求項１５】
前記の取得された優先順位情報に従って前記複数のＭＭＥの中から前記ユーザ装置のための前記サービングＭＭＥを選択する場合に、前記選択ユニットが、下記の、
ＭＭＥプールにおいて最初に最優先ＭＭＥを選択する原則に更に従う、請求項１４に記載の基地局。
【請求項１６】
前記の取得された優先順位情報に従って前記複数のＭＭＥの中から前記ユーザ装置のための前記サービングＭＭＥを選択する場合に、前記選択ユニットが、下記の、
複数のＭＭＥが同じ優先順位を有する場合に、前記同じ優先順位を有する前記複数のＭＭＥの中から前記ＭＭＥの収容能力及び負荷に従って前記ユーザ装置のためのＭＭＥを選択する原則に更に従う、請求項１４又は請求項１５に記載の基地局。
【請求項１７】
当該基地局が、
前記複数のＭＭＥにおいて最高の優先順位を有する第１のＭＭＥを判定するとともに、前記第１のＭＭＥを含む第１のＭＭＥプールを判定するように構成される判定ユニットを更に備え、
前記選択ユニットが、
前記第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、
前記第１のＭＭＥプールが利用可能なＭＭＥを含まない場合に、前記第１のＭＭＥプールを除くＭＭＥプールの中から前記ユーザ装置のための前記サービングＭＭＥを選択するように具体的に構成される、請求項１１から請求項１６のいずれか一項に記載の基地局。
【請求項１８】
前記複数のＭＭＥにおいて最高の優先順位を有する第１のＭＭＥを判定するように構成される判定ユニットを更に備え、
前記選択ユニットが、
前記第１のＭＭＥが利用可能である場合に、前記第１のＭＭＥを前記サービングＭＭＥとして選択するか、又は、
前記第１のＭＭＥが利用不可能であるとともに、前記第１のＭＭＥを含む第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、
前記第１のＭＭＥが利用不可能であるとともに、前記第１のＭＭＥを含む第１のＭＭＥプールが利用可能なＭＭＥを含まない場合に、前記第１のＭＭＥプールを除くＭＭＥプールの中から前記ユーザ装置のための前記サービングＭＭＥを選択するように具体的に構成される、請求項１１から請求項１６のいずれか一項に記載の基地局。
【請求項１９】
前記選択ユニットが前記第１のＭＭＥプールにおける前記利用可能なＭＭＥの中から前記ユーザ装置のための前記サービングＭＭＥを選択するように構成される場合に、前記選択ユニットが、
前記第１のＭＭＥプールにおける前記利用可能なＭＭＥの中から最優先ＭＭＥを前記サービングＭＭＥとして選択するか、又は、
前記第１のＭＭＥプールにおける前記利用可能なＭＭＥの収容能力及び負荷に従って前記サービングＭＭＥを選択するように具体的に構成される、請求項１７又は請求項１８に記載の基地局。
【請求項２０】
前記選択ユニットが前記第１のＭＭＥプールを除くＭＭＥプールの中から前記ユーザ装置のための前記サービングＭＭＥを選択するように構成される場合に、前記選択ユニットが、
前記第１のＭＭＥプールを除く前記ＭＭＥプールの中から前記最高の優先順位を有する利用可能なＭＭＥを前記サービングＭＭＥとして選択するか、又は、
前記第１のＭＭＥプールを除く前記ＭＭＥプールにおける利用可能なＭＭＥの収容能力及び負荷に従って前記サービングＭＭＥを選択するように具体的に構成される、請求項１７から請求項１９のいずれか一項に記載の基地局。
【請求項２１】
コンピュータ読み取り可能な媒体を含むコンピュータプログラム製品であって、
前記コンピュータ読み取り可能な媒体が、請求項１から請求項１０のいずれか一項において指定される方法を実施するために使用される一組のプログラムコードを含む、コンピュータプログラム製品。
【発明の詳細な説明】
【技術分野】
【０００１】
本発明の実施例は、通信技術の分野に関し、特に、モビリティ管理エンティティを選択するための方法、装置、及びシステムに関する。
【背景技術】
【０００２】
無線のブロードバンド技術の挑戦に応じ、そして第３世代パートナシッププロジェクト（The  3rd  generation  partnership  project、３ＧＰＰ）ネットワークの最先端を維持するために、３ＧＰＰは、移動通信ネットワークのロングタームエボリューション（long  term  evolution、ＬＴＥ）プログラムを開発した。ＬＴＥプログラムのガイダンスに基づいて、新しい移動通信ネットワークアーキテクチャ、すなわちロングタームエボリューション／システムアーキテクチャエボリューション（Long  Term  Evolution／System  Architecture  Evolution、ＬＴＥ／ＳＡＥ）ネットワークシステムアーキテクチャが定義される。
【０００３】
ＬＴＥ／ＳＡＥネットワークにおいて、進化型ＮｏｄｅＢ（evolved  NodeB、ｅＮＢ）（同様に進化型基地局と呼ばれる）は、複数のモビリティ管理エンティティ（mobility  management  entity、ＭＭＥ）に対してＳ１−ＭＭＥ接続を生成し得るとともに、複数のＭＭＥは、ＭＭＥプール（MME  pool）を形成する。ユーザ装置（user  equipment、ＵＥ）がｅＮＢからネットワークにアクセスする場合に、ｅＮＢは、ＵＥにサーブするとともに、専用のＳ１−ＭＭＥ接続を生成するＭＭＥを選択する。
【０００４】
現在、ｅＮＢが複数のＭＭＥに接続される場合に、ｅＮＢにより実行されるＭＭＥの選択に関する条件は下記の通りである。最初に、ユーザ装置（user  equipment、ＵＥ）により報告された情報で運ばれる識別情報に従ってＭＭＥを選択し、例えば、ＳＡＥ−一時的移動加入者識別番号（SAE-temporary  mobile  subscriber  identity、Ｓ−ＴＭＳＩ）に従って、又は、全世界で一意なＭＭＥ識別子（globally  unique  MME  identity、ＧＵＭＭＥＩ）及び選択された公衆陸上移動ネットワーク（public  land  mobile  network、ＰＬＭＮ）に従ってＭＭＥを選択する。もしＵＥにより報告された情報で運ばれる識別情報に対応するＭＭＥが、ＭＭＥ過負荷又はＳ１リンク障害に起因して、ＵＥのために選択されることができないならば、ＭＭＥは、ＭＭＥの負荷条件に従って選択される。
【０００５】
現在、ＭＭＥを選択する方法は、十分に柔軟ではなく、そして、時折、ネットワーク管理に不都合なオペレータ要求をほとんど満たすことができない。
【発明の概要】
【０００６】
それを考慮した結果、本発明の実施例は、ネットワーク管理の柔軟性を改善する、ＭＭＥを選択するための方法、装置、及びシステムを提供する。
【０００７】
第１の態様は、モビリティ管理エンティティＭＭＥを選択するための方法であって、基地局により、ユーザ装置の無線リソース制御ＲＲＣ接続要求を受信するステップと、前記基地局により、前記基地局に接続された複数のＭＭＥの優先順位情報を取得するステップと、前記基地局により、前記の取得された優先順位情報に従って前記複数のＭＭＥの中から前記ユーザ装置のためのサービングＭＭＥを選択するステップとを含む、方法を提供する。
【０００８】
第１の態様の第１の可能な実施方法において、前記複数のＭＭＥは第１のＭＭＥプールにおけるＭＭＥ及び第２のＭＭＥプールにおけるＭＭＥを含み、前記第２のＭＭＥプールは前記第１のＭＭＥプールに対してバックアップを提供し、前記第１のＭＭＥプールにおける最優先ＭＭＥの優先順位は第１の優先順位であり、前記第２のＭＭＥプールにおける最優先ＭＭＥの優先順位は第２の優先順位であり、前記第１の優先順位は前記第２の優先順位と異なる。
【０００９】
第１の態様の第１の可能な実施方法に関連して、第１の態様の第２の可能な実施方法において、前記第１の優先順位は前記第２の優先順位より高い。
【００１０】
第１の態様の第１又は第２の可能な実施方法に関連して、第１の態様の第３の可能な実施方法において、前記基地局により、前記の取得された優先順位情報に従って前記複数のＭＭＥの中から前記ユーザ装置のためのサービングＭＭＥを選択する前記ステップは、下記の、各ＭＭＥプールの優先順位が前記ＭＭＥプールの中の最優先ＭＭＥの優先順位であるとして、最初に最優先ＭＭＥプールの中から前記ユーザ装置のためのＭＭＥを選択するとともに、前記最優先ＭＭＥプールにおいてＭＭＥが利用可能ではない場合に、準最優先ＭＭＥプールの中からＭＭＥを選択する原則に従う。
【００１１】
第１の態様の第３の可能な実施方法に関連して、第１の態様の第４の可能な実施方法において、前記基地局により、前記の取得された優先順位情報に従って前記複数のＭＭＥの中から前記ユーザ装置のためのサービングＭＭＥを選択する前記ステップは、下記の、ＭＭＥプールにおいて最初に最優先ＭＭＥを選択する原則に更に従う。
【００１２】
第１の態様の第３又は第４の可能な実施方法に関連して、第１の態様の第５の可能な実施方法において、前記基地局により、前記の取得された優先順位情報に従って前記複数のＭＭＥの中から前記ユーザ装置のためのサービングＭＭＥを選択する前記ステップは、下記の、複数のＭＭＥが同じ優先順位を有する場合に、前記同じ優先順位を有する前記複数のＭＭＥの中から前記ＭＭＥの収容能力及び負荷に従って前記ユーザ装置のためのＭＭＥを選択する原則に更に従う。
【００１３】
第１の態様、又は第１の態様の第１から第５の可能な実施方法のうちの１つに関連して、第１の態様の第６の可能な実施方法において、前記基地局により、前記の取得された優先順位情報に従って前記複数のＭＭＥの中から前記ユーザ装置のためのサービングＭＭＥを選択する前記ステップは、前記基地局により、前記複数のＭＭＥにおいて最高の優先順位を有する第１のＭＭＥを判定するステップと、前記基地局により、前記第１のＭＭＥを含む第１のＭＭＥプールを判定するステップと、前記基地局により、前記第１のＭＭＥプールが利用可能なＭＭＥを含む場合に、前記第１のＭＭＥプールにおける前記利用可能なＭＭＥの中から前記ユーザ装置のための前記サービングＭＭＥを選択するステップ、又は、前記基地局により、前記第１のＭＭＥプールが利用可能なＭＭＥを含まない場合に、前記第１のＭＭＥプールを除くＭＭＥプールの中から前記ユーザ装置のための前記サービングＭＭＥを選択するステップとを含む。
【００１４】
第１の態様、又は第１の態様の第１から第５の可能な実施方法のうちの１つに関連して、第１の態様の第７の可能な実施方法において、前記基地局により、前記の取得された優先順位情報に従って前記複数のＭＭＥの中から前記ユーザ装置のためのサービングＭＭＥを選択する前記ステップは、前記基地局により、前記複数のＭＭＥにおいて最高の優先順位を有する第１のＭＭＥを判定するステップと、前記基地局により、前記第１のＭＭＥが利用可能である場合に、前記第１のＭＭＥを前記サービングＭＭＥとして選択するステップ、又は、前記基地局により、前記第１のＭＭＥが利用不可能であるとともに、前記第１のＭＭＥを含む第１のＭＭＥプールが利用可能なＭＭＥを含む場合に、前記第１のＭＭＥプールにおける前記利用可能なＭＭＥの中から前記ユーザ装置のための前記サービングＭＭＥを選択するステップ、又は、前記基地局により、前記第１のＭＭＥが利用不可能であるとともに、前記第１のＭＭＥを含む第１のＭＭＥプールが利用可能なＭＭＥを含まない場合に、前記第１のＭＭＥプールを除くＭＭＥプールの中から前記ユーザ装置のための前記サービングＭＭＥを選択するステップとを含む。
【００１５】
第１の態様の第６又は第７の可能な実施方法に関連して、第１の態様の第８の可能な実施方法において、前記基地局により、前記第１のＭＭＥプールにおける前記利用可能なＭＭＥの中から前記ユーザ装置のための前記サービングＭＭＥを選択する前記ステップは、前記基地局により、前記第１のＭＭＥプールにおける前記利用可能なＭＭＥの中から最優先ＭＭＥを前記サービングＭＭＥとして選択するステップ、又は、前記基地局により、前記第１のＭＭＥプールにおける前記利用可能なＭＭＥの収容能力及び負荷に従って前記サービングＭＭＥを選択するステップを含む。
【００１６】
第１の態様の第６から第８の可能な実施方法のうちの１つに関連して、第１の態様の第９の可能な実施方法において、前記基地局により、前記第１のＭＭＥプールを除くＭＭＥプールの中から前記ユーザ装置のための前記サービングＭＭＥを選択する前記ステップが、前記基地局により、前記第１のＭＭＥプールを除く前記ＭＭＥプールの中から前記最高の優先順位を有する利用可能なＭＭＥを前記サービングＭＭＥとして選択するステップ、又は、前記基地局により、前記第１のＭＭＥプールを除く前記ＭＭＥプールにおける利用可能なＭＭＥの収容能力及び負荷に従って前記サービングＭＭＥを選択するステップを含む。
【００１７】
第２の態様は、基地局であって、ユーザ装置の無線リソース制御ＲＲＣ接続要求を受信するように構成される受信ユニットと、前記基地局に接続された複数のＭＭＥの優先順位情報を取得するように構成される取得ユニットと、前記取得ユニットにより取得された前記優先順位情報に従って前記複数のＭＭＥの中から前記ユーザ装置のためのサービングＭＭＥを選択するように構成される選択ユニットとを含む、基地局を提供する。
【００１８】
第２の態様の第１の可能な実施方法において、前記複数のＭＭＥは第１のＭＭＥプールにおけるＭＭＥ及び第２のＭＭＥプールにおけるＭＭＥを含み、前記第２のＭＭＥプールは前記第１のＭＭＥプールに対してバックアップを提供し、前記第１のＭＭＥプールにおける最優先ＭＭＥの優先順位は第１の優先順位であり、前記第２のＭＭＥプールにおける最優先ＭＭＥの優先順位は第２の優先順位であり、前記第１の優先順位は前記第２の優先順位と異なる。
【００１９】
第２の態様の第１の可能な実施方法に関連して、第２の態様の第２の可能な実施方法において、前記第１の優先順位は前記第２の優先順位より高い。
【００２０】
第２の態様の第１又は第２の可能な実施方法に関連して、第２の態様の第３の可能な実施方法において、前記の取得された優先順位情報に従って前記複数のＭＭＥの中から前記ユーザ装置のための前記サービングＭＭＥを選択する場合に、前記選択ユニットが、下記の、各ＭＭＥプールの優先順位が前記ＭＭＥプールの中の最優先ＭＭＥの優先順位であるとして、最初に最優先ＭＭＥプールの中から前記ユーザ装置のためのＭＭＥを選択するとともに、前記最優先ＭＭＥプールにおいてＭＭＥが利用可能ではない場合に、準最優先ＭＭＥプールの中からＭＭＥを選択する原則に従う。
【００２１】
第２の態様の第３の可能な実施方法に関連して、第２の態様の第４の可能な実施方法において、前記の取得された優先順位情報に従って前記複数のＭＭＥの中から前記ユーザ装置のための前記サービングＭＭＥを選択する場合に、前記選択ユニットが、下記の、ＭＭＥプールにおいて最初に最優先ＭＭＥを選択する原則に更に従う。
【００２２】
第２の態様の第３又は第４の可能な実施方法に関連して、第２の態様の第５の可能な実施方法において、前記の取得された優先順位情報に従って前記複数のＭＭＥの中から前記ユーザ装置のための前記サービングＭＭＥを選択する場合に、前記選択ユニットが、下記の、複数のＭＭＥが同じ優先順位を有する場合に、前記同じ優先順位を有する前記複数のＭＭＥの中から前記ＭＭＥの収容能力及び負荷に従って前記ユーザ装置のためのＭＭＥを選択する原則に更に従う。
【００２３】
第２の態様、又は第２の態様の第１から第５の可能な実施方法のうちの１つに関連して、第２の態様の第６の可能な実施方法において、当該基地局は、前記複数のＭＭＥにおいて最高の優先順位を有する第１のＭＭＥを判定するとともに、前記第１のＭＭＥを含む第１のＭＭＥプールを判定するように構成される判定ユニットを更に含み、前記選択ユニットが、前記第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、前記第１のＭＭＥプールが利用可能なＭＭＥを含まない場合に、前記第１のＭＭＥプールを除くＭＭＥプールの中から前記ユーザ装置のための前記サービングＭＭＥを選択するように具体的に構成される。
【００２４】
第２の態様、又は第２の態様の第１から第５の可能な実施方法のうちの１つに関連して、第２の態様の第７の可能な実施方法において、当該基地局は、前記複数のＭＭＥにおいて最高の優先順位を有する第１のＭＭＥを判定するように構成される判定ユニットを更に含み、前記選択ユニットが、前記第１のＭＭＥが利用可能である場合に、前記第１のＭＭＥを前記サービングＭＭＥとして選択するか、又は、前記第１のＭＭＥが利用不可能であるとともに、前記第１のＭＭＥを含む第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、前記第１のＭＭＥが利用不可能であるとともに、前記第１のＭＭＥを含む第１のＭＭＥプールが利用可能なＭＭＥを含まない場合に、前記第１のＭＭＥプールを除くＭＭＥプールの中から前記ユーザ装置のための前記サービングＭＭＥを選択するように具体的に構成される。
【００２５】
第２の態様の第６又は第７の可能な実施方法に関連して、第２の態様の第８の可能な実施方法において、前記選択ユニットが前記第１のＭＭＥプールにおける前記利用可能なＭＭＥの中から前記ユーザ装置のための前記サービングＭＭＥを選択するように構成される場合に、前記選択ユニットは、前記第１のＭＭＥプールにおける前記利用可能なＭＭＥの中から最優先ＭＭＥを前記サービングＭＭＥとして選択するか、又は、前記第１のＭＭＥプールにおける前記利用可能なＭＭＥの収容能力及び負荷に従って前記サービングＭＭＥを選択するように具体的に構成される。
【００２６】
第２の態様の第６から第８の可能な実施方法のうちの１つに関連して、第２の態様の第９の可能な実施方法において、前記選択ユニットが前記第１のＭＭＥプールを除くＭＭＥプールの中から前記ユーザ装置のための前記サービングＭＭＥを選択するように構成される場合に、前記選択ユニットが、前記第１のＭＭＥプールを除く前記ＭＭＥプールの中から前記最高の優先順位を有する利用可能なＭＭＥを前記サービングＭＭＥとして選択するか、又は、前記第１のＭＭＥプールを除く前記ＭＭＥプールにおける利用可能なＭＭＥの収容能力及び負荷に従って前記サービングＭＭＥを選択するように具体的に構成される。
【００２７】
第３の態様は、コンピュータ読み取り可能な媒体を含むコンピュータプログラム製品であって、前記コンピュータ読み取り可能な媒体が、第１の態様において、又は第１の態様のあらゆる実施方法において説明される方法を実施するために使用される一組のプログラムコードを含む、コンピュータプログラム製品を提供する。
【００２８】
方法、装置、及びシステムにおいて、ｅＮＢはＭＭＥの優先順位に従ってＭＭＥを選択し、ＭＭＥの優先順位は事前設定されることができ、設定する時に、異なるシナリオにおける必要条件が考慮されることができるとともに、異なる優先順位が異なるＭＭＥに対して設定されることができ、したがって、基地局がＭＭＥを選択することが異なるシナリオにおける必要条件に更に準拠し、ネットワーク管理の柔軟性が改善される、ということが理解されることができる。
【００２９】
本発明の実施例における技術的解決法をより明確に説明するために、下記は、実施例を説明するために必要とされる添付図面を簡単に説明する。明らかに、下記の説明における添付図面は本発明の単にいくつかの実施例を表すとともに、当業者は、創造的な努力なしでこれらの添付図面からさらに他の図面を導き出し得る。
【図面の簡単な説明】
【００３０】
【図１】本発明の実施例によるＭＭＥを選択するための方法の概要のフローチャートである。
【図２】本発明の実施例によるネットワークの概略構造図である。
【図３】本発明の別の実施例によるＭＭＥを選択するための方法の概要のフローチャートである。
【図４】本発明の更に別の実施例によるＭＭＥを選択するための方法の概要のフローチャートである。
【図５】本発明の実施例による基地局の概略構造図である。
【図６】本発明の実施例による別の基地局の概略構造図である。
【図７】本発明の実施例による更に別の基地局の概略構造図である。
【発明を実施するための形態】
【００３１】
本発明の実施例の目的、技術的解決法、及び利点をより明確にするために、下記は、本発明の実施例における添付図面を参照して、本発明の実施例における技術的解決法を明確かつ十分に説明する。明らかに、説明される実施例は本発明の実施例の全てよりむしろ一部である。創作的な努力なしで本発明の実施例に基づいて当業者により獲得される他の全ての実施例は、本発明の保護範囲に含まれるものとする。
【００３２】
この出願は、異なるシナリオにおけるオペレータ要求を十分に考慮し、そして優先順位がＭＭＥに対して設定される。したがって、ｅＮＢは、ＭＭＥの優先順位に従ってＭＭＥを選択することができる。優先順位がオペレータ要求に従って事前設定されることができるので、選択されたＭＭＥはオペレータ要求に更に準拠し、ネットワーク管理の柔軟性が改善される。さらに、優先順位を設定するそのような方針は、ＭＭＥ選択を更に柔軟にするために、現存するＭＭＥ選択方針と結合され得る。
【００３３】
図１を参照する。図１は、本発明の実施例によるＭＭＥを選択するための方法の概要のフローチャートである。基地局がＵＥの無線リソース制御（ＲＲＣ）接続要求を受信する（Ｓ１１０）場合に、基地局は、ＵＥのためにＭＭＥを選択する必要がある。ＭＭＥを選択する処理は、図１において示されたステップを含み得る。
【００３４】
Ｓ１２０．基地局は、基地局に接続された複数のＭＭＥの優先順位情報を取得する。
【００３５】
Ｓ１３０．取得された優先順位情報に従って複数のＭＭＥの中からＵＥのためのサービングＭＭＥを選択する。
【００３６】
ステップＳ１１０とステップＳ１２０との間の順序は限定されない、ということに注意が必要である。基地局は、ＲＲＣ接続要求を受信したあとで、基地局に接続されたＭＭＥの優先順位情報を取得し得るか、又は、前もって優先順位情報を取得し得る。ＲＲＣ接続要求を受信したあとで、基地局は情報に従ってＭＭＥを選択し、この場合、取得することは、ローカルディレクトリから取得することとして理解され得る。
【００３７】
ＲＲＣ接続要求は、ＵＥと基地局との間のＲＲＣ接続を確立するあらゆるシグナリング、例えば、アタッチ（attach）要求、及びトラッキングエリアアップデート（tracking  area  update、ＴＡＵ）のようなシグナリングを含む。そのようなシグナリングがＭＭＥ情報を運ぶ場合に、ＭＭＥは、運ばれたＭＭＥ情報に従ってＵＥのために選択され得る。ＲＲＣ接続要求がＭＭＥ情報を運んでいない場合に、ＭＭＥは、前述の方法に従って、すなわち優先順位に従ってＵＥのために選択される。さらに、ＲＲＣ接続要求はＭＭＥ情報を運んでいるが、もしＵＥのシグナリングにおいて運ばれるＭＭＥ情報により示されるＭＭＥが、対応するＭＭＥの過負荷又はＳ１リンクの障害に起因して、ＵＥのために選択できないならば、ＭＭＥは、前述の方法を使用することにより、ＵＥのために同様に選択され得る。
【００３８】
さらに、ＭＭＥの優先順位は事前設定されるとともに、優先順位を設定する場合に、異なるシナリオにおける必要条件が考慮されることができるとともに、異なる優先順位が異なるＭＭＥに対して設定されることができ、したがって、基地局により選択されるＭＭＥが異なるシナリオにおける必要条件に更に準拠し、ネットワーク管理の柔軟性が改善される。さらに、ＭＭＥの優先順位は、必要に応じて、ネットワーク管理装置により設定されることができ、したがって、優先順位の設定は、異なるシナリオにおける必要条件に従ってちょうどよい時に調整されることができ、それは更にネットワーク管理の柔軟性を改善する。その上、事前設定された優先順位情報がＭＭＥ側に記憶され得るとともに、基地局は、ＭＭＥと情報をやり取りすることにより優先順位情報を取得し、そして優先順位情報に従ってＭＭＥを選択し得る。
【００３９】
さらに、この出願は、優先順位情報が異なる優先順位レベルを区別するために使用され得る限り、優先順位情報の形式を限定しない。例えば、簡単な実施方法は、優先順位レベルを反映する値情報を使用することである。例えば、８つの優先順位レベルが選択され、そして値１〜８により別々に表示される。より大きな値がより高い優先順位レベルを表す。言うまでもなく、より小さな値がより高い優先順位レベルを表すことは同様に適切であり、それはこの実施例では限定されない。優先順位が設定される場合に、異なる優先順位の値が、オペレータの異なるシナリオ又は方針条件における要求に従って、ＭＭＥに設定される。したがって、ＭＭＥ選択の間、より高い優先順位又はより低い優先順位のＭＭＥが、最初に優先順位値情報に従って選択され得る。
【００４０】
下記は、一例としてバックアップＭＭＥプールが存在するシナリオにおける必要条件を使用することにより、この出願の実施方法及び効果を詳細に説明する。しかしながら、このシナリオは単に実例であり、この出願を限定することを意図していない。下記の実施例における暗示により、当業者は、異なるシナリオにおける必要条件を満たし、そしてネットワーク管理の柔軟性を拡張するために、この出願を他のシナリオに適用することができる。
【００４１】
現在、ネットワークの信頼性を改善するために、異なる地理的位置のＭＭＥプールの間で、バックアップが実行されることができ、したがって、特定のＭＭＥプールにおけるｅＮＢは、ローカルＭＭＥプールに接続されるばかりではなく、バックアップＭＭＥプールに接続されることができる。例えば、図２において示されたネットワーキングでは、ＭＭＥプール２２０がＭＭＥプール２１０に対してバックアップを提供するとともに、ＭＭＥプール２１０がＭＭＥプール２２０に対してバックアップを同様に提供し得るか、又は、別のＭＭＥプールがＭＭＥプール２２０に対してバックアップを提供する。ＭＭＥプール２１０のカバレージエリアにおけるｅＮＢ２３０は、ＭＭＥプール２１０に接続されるばかりでばく、ＭＭＥプール２２０にも接続され得る。ｅＮＢ２３０に属するＵＥに対して、ＭＭＥプール２１０はローカルＭＭＥプール（local  MME  pool）であり、そしてＭＭＥプール２２０はバックアップＭＭＥプール（redundancy  MME  pool又はbackup  MME  pool）である。
【００４２】
ＭＭＥプールは、ローカルなモビリティ管理のような作業を請け負うばかりでなく、別のＭＭＥプールのバックアップＭＭＥプールでもあり得る。例えば、ＭＭＥプール２２０は、その領域におけるモビリティ管理作業を請け負うばかりでなく、ＭＭＥプール２１０に対してバックアップも提供するとともに、別の実例では、ＭＭＥプール２１０は、その領域におけるモビリティ管理作業を請け負うばかりでなく、別のＭＭＥプールに対してバックアップも提供し得る。各ＭＭＥプールのローカルサービスが別のＭＭＥプールに対して提供されたバックアップに起因して影響を受けないことを保証するために、ＭＭＥプールが正常に機能することができる場合に、ＭＭＥプールに基づくシグナリングが別のバックアップＭＭＥプールに流れ込むことを期待されず、ローカルＭＭＥプールが不完全である時のみ、ＭＭＥプールに基づくシグナリングがバックアップＭＭＥプールに流れ込む、ということが要求される。
【００４３】
従来技術では、ｅＮＢは、ローカルＭＭＥプールとバックアップＭＭＥプールとを区別せず、ローカルＭＭＥプールが利用可能なＭＭＥを含む場合には、ＵＥに局所的にアクセスするためにバックアップＭＭＥプール内のＭＭＥが選択されることが可能であり、それは前述の要求を満たすことの失敗をもたらす、ということが理解されることができる。
【００４４】
この出願では、異なるレベルを有する優先順位が、ローカルＭＭＥプール及びバックアップＭＭＥプールにおけるＭＭＥに対して設定されることができ、それは、ｅＮＢが優先順位に基づいてローカルＭＭＥプールとバックアップＭＭＥプールとを区別し、したがって、最初にローカルＭＭＥプールにおいてＵＥのためのＭＭＥを選択することを可能にすることができる。その結果、ローカルＭＭＥプールが正常に機能することができる場合に、ローカルＭＭＥプールに基づくシグナリングは、バックアップＭＭＥプールのリソースを占有するために別のバックアップＭＭＥプールに流れ込まない。
【００４５】
バックアップＭＭＥプールが存在するシナリオでは、前述の方法は、基地局が優先順位情報に従ってローカルＭＭＥプールとバックアップＭＭＥプールとを区別することを可能にし、したがって、利用可能なＭＭＥがローカルＭＭＥプールに存在する場合に、バックアップＭＭＥプールにおけるＭＭＥが局所的にアクセスしているＵＥのために選択されない、ということが理解されることができる。その結果、利用可能なＭＭＥがローカルＭＭＥプールに存在する場合に、シグナリングは、バックアップＭＭＥプールのリソースを占有するためにバックアップＭＭＥプールに流れ込まない。
【００４６】
この場合、ＭＭＥの優先順位が設定される場合に、ローカルＭＭＥプールの優先順位は、バックアップＭＭＥプールの優先順位より高くセットされる。一実装方法において、ローカルＭＭＥプールにおけるＭＭＥの優先順位は、全てバックアップＭＭＥプールにおけるＭＭＥの優先順位より高くセットされ得る。基地局の選択方針は、基地局がＭＭＥプールにおける最優先ＭＭＥの優先順位をＭＭＥプールの優先順位として見なすように、同様に設定されることができ、その場合に、ＭＭＥを選択する場合に、基地局は、最初に最優先ＭＭＥプールを選択し、次に選択されたＭＭＥプールにおける最優先ＭＭＥを選択する。したがって、ローカルＭＭＥプールにおける最優先ＭＭＥの優先順位がバックアップＭＭＥプールにおける最優先ＭＭＥの優先順位より高くセットされる限り、利用可能なＭＭＥがローカルＭＭＥプールに存在する場合に、基地局は局所的にアクセスしているＵＥのためにバックアップＭＭＥプールにおけるＭＭＥを選択しないであろう、ということが達成されることができる。その結果、利用可能なＭＭＥがローカルＭＭＥプールに存在する場合に、シグナリングは、バックアップＭＭＥプールのリソースを占有するためにバックアップＭＭＥプールに流れ込まないであろう。
【００４７】
ＭＭＥプールが正常に機能することができることは、利用可能なＭＭＥがＭＭＥプールに存在することを意味するとともに、ＭＭＥプールが正常に機能することができないことは、ＭＭＥプールにおける利用可能なＭＭＥの選択の失敗を指し、ここで、利用可能なＭＭＥの選択の失敗は、ＭＭＥ故障、又はＳ１リンク障害、又はＭＭＥ過負荷などによって引き起こされ得る、ということに注意が必要である。
【００４８】
さらに、バックアップＭＭＥプールの地理的位置は、一般に、ローカルＭＭＥプールの地理的位置から分離され、そして特定の距離だけ離れている。この場合、バックアップＭＭＥプールは、同様に、リモートＭＭＥプール（remote  MME  pool）と呼ばれ得る。
【００４９】
さらに、ローカルＭＭＥプール及びバックアップＭＭＥプールは、ＵＥと関連していると言われる。異なるＭＭＥプールのカバレージエリアにおけるＵＥに関して、それらのローカルＭＭＥプール及びバックアップＭＭＥプールは異なる。例えば、図２において、ｅＮＢ２３０に属するＵＥに関して、ローカルＭＭＥプールはＭＭＥプール２１０であるとともに、バックアップＭＭＥプールはＭＭＥプール２２０であり、ｅＮＢ２４０に属するＵＥに関して、ローカルＭＭＥプールはＭＭＥプール２２０であり、もしＭＭＥプール２１０及びＭＭＥプール２２０が相互に対してバックアップを提供するならば、ｅＮＢ２４０に属するＵＥのためのバックアップＭＭＥプールは、ＭＭＥプール２１０になる。
【００５０】
さらに、ＭＭＥプールは、１つのＭＭＥだけを含み得る。例えば、図２におけるＭＭＥプールは、２つのＭＭＥが相互に対してバックアップを提供するか、又はＭＭＥのうちのいずれかがもう一方のＭＭＥに対してバックアップを提供するＭＭＥに変更され得る。
【００５１】
下記は、基地局がローカルＭＭＥプールとバックアップＭＭＥプールに同時に接続されるシナリオにおける本発明の別の実施例を参照して、前述の方法の具体的な実装例を詳細に説明する。この実施例では、基地局は、少なくとも２つのＭＭＥプールに接続されており、そしてＭＭＥプールのうちの１つは、別のＭＭＥプールに対してバックアップを提供する。すなわち、基地局に接続された複数のＭＭＥは第１のＭＭＥプールにおけるＭＭＥ及び第２のＭＭＥプールにおけるＭＭＥを含み、ここで、第２のＭＭＥプールが第１のＭＭＥプールに対してバックアップを提供し、第１のＭＭＥプールにおける最優先ＭＭＥの優先順位は第１の優先順位であり、第２のＭＭＥプールにおける最優先ＭＭＥの優先順位は第２の優先順位であり、第１の優先順位は第２の優先順位と異なる。
【００５２】
この方法では、ＭＭＥを選択する場合に、基地局は、ＭＭＥプールにおける最優先ＭＭＥの優先順位、すなわち第１の優先順位及び第２の優先順位に従って、第１のＭＭＥプールと第２のＭＭＥプールとを区別し、したがって、基地局は、最初にいずれかのＭＭＥプールにおけるＭＭＥを選択し、ＭＭＥプールが利用可能である場合において、もう一方のＭＭＥプールのリソースを占有しない。
【００５３】
具体的には、第１の優先順位が第２の優先順位より高く、ＭＭＥは、最初に、より高い優先順位のＭＭＥを含むＭＭＥプール（例えば、第１のＭＭＥプール）の中から選択されるとともに、ＭＭＥプールが利用不可能である時のみ、ＭＭＥは、別のＭＭＥプール（例えば、第２のＭＭＥプール）の中から選択される、ということが想定される。言うまでもなく、第１の優先順位が第２の優先順位より低く、ＭＭＥは、最初に、より低い優先順位のＭＭＥを含むＭＭＥプールの中から選択される、ということが想定され、それはこの出願では限定されない。
【００５４】
下記は、第１の優先順位が第２の優先順位より高いと想定する。前述のステップＳ１３０において、ＭＭＥを選択する場合に、基地局は下記の原則に従い得る。１）各ＭＭＥプールの優先順位がＭＭＥプールの中の最優先ＭＭＥの優先順位レベルであるとして、最初に最優先ＭＭＥプールの中からＵＥのためのＭＭＥを選択するとともに、２）最優先ＭＭＥプールにおいてＭＭＥが利用可能ではない場合に、準最優先ＭＭＥプールの中からＭＭＥを選択する。
【００５５】
原則１）及び原則２）によれば、基地局は、利用可能なＭＭＥがローカルＭＭＥプールに存在する場合に、局所的にアクセスしているＵＥのために、バックアップＭＭＥプールにおけるＭＭＥを選択するよりむしろ、最初に、ローカルＭＭＥプールにおけるＭＭＥを選択し得る、ということが理解されることができる。その結果、利用可能なＭＭＥがローカルＭＭＥプールに存在する場合に、シグナリングは、バックアップＭＭＥプールのリソースを占有するためにバックアップＭＭＥプールに流れ込まない。
【００５６】
任意に、各ＭＭＥプールにおけるＭＭＥの優先順位が更にセットされ得る。ＭＭＥ選択の間、より高い優先順位のＭＭＥが最初に選択される。この場合、前述のステップＳ１３０において、ＭＭＥを選択する場合に、基地局は下記の原則に更に従い得る。３）ＭＭＥプールにおいて最初に最優先ＭＭＥを選択する。
【００５７】
この方法では、ネットワーク管理の柔軟性を更に提供するために、異なる優先順位がプール内のＭＭＥに対して設定されることができる。例えば、ネットワーク計画において、ＭＭＥプールにおける特定の基地局に属するＵＥは、最初にＭＭＥプールにおける特定のＭＭＥにアクセスすると予測され、その場合に、最高の優先順位がＭＭＥに対して設定されることができる。その場合に、基地局がＵＥのためにＭＭＥを選択する場合に、特定のＭＭＥが利用可能である限り、基地局は、最初に特定のＭＭＥを選択する。
【００５８】
任意に、優先順位に従ってＭＭＥを選択する方針は、現存するＭＭＥ選択方針と更に結合され得る。例えば、複数のＭＭＥが同じ優先順位を有する場合に、ＭＭＥは、現存するＭＭＥ選択方針に従って選択されることができ、すなわち、ＭＭＥは、ＭＭＥの収容能力及び負荷に従ってＵＥのために選択される。実際的応用において、複数のＭＭＥは、同じ必要条件の下では等しい順位を有することができ、したがって、同じ優先順位がＭＭＥに対して設定され得る。その場合に、ＭＭＥは、ＭＭＥを選択する時点での従来技術を参照して、収容能力及び負荷に従って選択され得る。この場合、前述のステップＳ１３０において、ＭＭＥを選択する場合に、基地局は下記の原則に更に従い得る。４）同じ優先順位を有する複数のＭＭＥの中からＭＭＥの収容能力及び負荷に従ってＵＥのためのＭＭＥを選択する。
【００５９】
前述の原則のうちの１つ又は複数に従ってＭＭＥを選択する場合に、基地局は、異なる実施方法を適用し得る。下記は、添付図面を参照して、２つの実施方法を詳細に説明するが、しかしながら、それは、単に実例であり、この出願を限定することを意図していない。
【００６０】
図３を参照する。図３は、本発明の別の実施例の概要のフローチャートである。図３において示されたように、方法は下記のステップを含む。
【００６１】
Ｓ３１０．基地局が、基地局に接続された複数のＭＭＥの優先順位情報を取得する。
【００６２】
Ｓ３２０．複数のＭＭＥにおいて最高の優先順位を有する第１のＭＭＥを判定する。
【００６３】
Ｓ３３０．第１のＭＭＥを含む第１のＭＭＥプールを判定する。
【００６４】
Ｓ３４０．第１のＭＭＥプールが利用可能なＭＭＥを含む場合に、第１のＭＭＥプールにおける利用可能なＭＭＥの中からＵＥのためのサービングＭＭＥを選択する。
【００６５】
Ｓ３５０．第１のＭＭＥプールが利用可能なＭＭＥを含まない場合に、第１のＭＭＥプールを除くＭＭＥプール（例えば、第１のＭＭＥプールに対してバックアップを提供するＭＭＥプール）の中からＵＥのためのサービングＭＭＥを選択する。
【００６６】
図４を参照する。図４は、本発明の更に別の実施例の概要のフローチャートである。図４において示されたように、方法は下記のステップを含む。
【００６７】
Ｓ４１０．基地局が、基地局に接続された複数のＭＭＥの優先順位情報を取得する。
【００６８】
Ｓ４２０．複数のＭＭＥにおいて最高の優先順位を有する第１のＭＭＥを判定する。
【００６９】
Ｓ４３０．第１のＭＭＥが利用可能である場合に、第１のＭＭＥをＵＥのサービングＭＭＥとして選択する。
【００７０】
Ｓ４４０．第１のＭＭＥが利用不可能であるとともに、第１のＭＭＥを含む第１のＭＭＥプールが利用可能なＭＭＥを含む場合に、第１のＭＭＥプールにおける利用可能なＭＭＥの中からＵＥのためのサービングＭＭＥを選択する。
【００７１】
Ｓ４５０．第１のＭＭＥが利用不可能であるとともに、第１のＭＭＥを含む第１のＭＭＥプールが利用可能なＭＭＥを含まない場合に、第１のＭＭＥプールを除くＭＭＥプール（例えば、第１のＭＭＥプールに対してバックアップを提供するＭＭＥプール）の中からＵＥのためのサービングＭＭＥを選択する。
【００７２】
前述の実施例では、ステップＳ３４０及びステップＳ４４０において、選択は、原則３）に従って実行されることができ、すなわち最優先ＭＭＥが、第１のＭＭＥプールにおける利用可能なＭＭＥの中からＵＥのサービングＭＭＥとして選択される。選択は、現存する選択方法に従って同様に実行されることができ、すなわちＵＥのサービングＭＭＥは、第１のＭＭＥプールにおける利用可能なＭＭＥの収容能力及び負荷に従って選択される。言うまでもなく、２つの方法は結合され得る。例えば、複数の最優先ＭＭＥが存在する場合に、ＵＥのサービングＭＭＥは、複数の最優先ＭＭＥの収容能力及び負荷に従って選択される。
【００７３】
同様に、前述のステップＳ３５０及びステップＳ４５０において、原則３）に従って選択が実行されることができ、すなわち、最高の優先順位を有する利用可能なＭＭＥが、第１のＭＭＥプールを除くＭＭＥプールの中からＵＥのサービングＭＭＥとして選択される。選択は、現存する選択方法に従って同様に実行されることができ、すなわち、ＵＥのサービングＭＭＥは、第１のＭＭＥプールを除くＭＭＥプールにおける利用可能なＭＭＥの収容能力及び負荷に従って選択される。言うまでもなく、２つの方法は結合され得る。例えば、複数の最優先ＭＭＥが存在する場合に、ＵＥのサービングＭＭＥは、複数の最優先ＭＭＥの収容能力及び負荷に従って選択される。
【００７４】
前述の実施例において、ＭＭＥの優先順位情報は、ネットワーク管理装置を使用することにより基地局に対して設定され得るか、又は、ＭＭＥの一組の属性情報として各ＭＭＥに事前設定され得る。基地局がＭＭＥと情報をやり取りする場合に、情報は基地局に送信されるとともに、対話プロセスは、基地局が電源を投入される場合にＭＭＥへの接続をセットアップする対話プロセスであることができるか、又は、ＵＥにより送信されたＲＲＣ接続要求を基地局が受信したあとで開始された対話プロセスであることができ、それは本発明の実施例において限定されない。
【００７５】
具体的には、本発明の実施例において、複数のＭＭＥの優先順位情報は、ネットワーク管理装置により基地局に対して設定され、したがって、基地局により、基地局に接続された複数のＭＭＥの優先順位情報を取得することは、基地局により、複数のＭＭＥの優先順位情報をローカルディレクトリから取得することを含む。さらに、複数のＭＭＥの優先順位情報は、ネットワーク管理装置により設定されることができるが、しかし基地局には供給されず、基地局は、必要の場合には、ネットワーク管理装置から優先順位情報を取得する。
【００７６】
ネットワーク管理装置は、運用・管理及びメンテナンス（operation,  administration  and  maintenance、ＯＡＭ）システム、エレメント管理システム（element  management  system、ＥＭＳ）、及び、統合基準点マネージャ（Integration  Reference  Point  Manager、ＩＲＰＭａｎａｇｅｒ）又は統合基準点エージェント（Integration  Reference  Point  Agent、ＩＲＰＡｇｅｎｔ）を含むが、しかしそれに限定されない、ということに注意が必要である。
【００７７】
本発明の別の実施例において、複数のＭＭＥの優先順位情報は、対応するＭＭＥ側で別々にプリセットされるとともに、基地局は、複数のＭＭＥと情報をやり取りすることにより複数のＭＭＥの優先順位情報を取得し、そして優先順位情報をローカルディレクトリに記憶する。ＭＭＥが選択される必要がある場合に（例えば、ＵＥのＲＲＣ接続要求を受信する場合に）、基地局は、基地局に接続された複数のＭＭＥの優先順位情報をローカルディレクトリから取得する。言うまでもなく、ＭＭＥが選択される必要がある場合に、基地局は、複数のＭＭＥの優先順位情報を取得するために複数のＭＭＥと情報をやり取りし得る。
【００７８】
例えば、対話プロセスは下記のようになり得る。電源を投入されたあとで、基地局は、セットアップ要求（set  up  request）メッセージをＭＭＥに送信し、ＭＭＥがセットアップ要求メッセージに応答する場合に、応答がＭＭＥの優先順位情報を運ぶか、又は、設定を更新する場合に、ＭＭＥは、ＭＭＥの優先順位情報を運ぶために、ＭＭＥ設定更新（MME  configuration  update）メッセージを使用する。要約すれば、本発明の実施例は、ＭＭＥ側から優先順位情報を取得するために基地局により使用される対話方法を限定しないとともに、対話方法は、現存する対話プロセス、又は、最近追加された対話プロセスであり得る。
【００７９】
図５を参照する。図５は、本発明の実施例による基地局の概略構造図である。基地局は、前述の実施例で提供されるいずれか１つの方法を実施するように構成される。図５において示されたように、基地局５００は、受信ユニット５１０、取得ユニット５２０、及び選択ユニット５３０を含む。受信ユニット５１０は、ＵＥのＲＲＣ接続要求を受信するように構成され、取得ユニット５２０は、基地局５００に接続された複数のＭＭＥの優先順位情報を取得するように構成されるとともに、選択ユニット５３０は、取得ユニット５２０により取得された優先順位情報に従って複数のＭＭＥの中からＵＥのためのサービングＭＭＥを選択するように構成される。
【００８０】
前述の方法実施例において説明されるものと同じで、複数のＭＭＥは第１のＭＭＥプールにおけるＭＭＥ及び第２のＭＭＥプールにおけるＭＭＥを含み、ここで、第２のＭＭＥプールは第１のＭＭＥプールに対してバックアップを提供し、第１のＭＭＥプールにおける最優先ＭＭＥの優先順位は第１の優先順位であり、第２のＭＭＥプールにおける最優先ＭＭＥの優先順位は第２の優先順位であり、第１の優先順位は第２の優先順位と異なる。任意に、第１の優先順位は第２の優先順位より高いかもしれない。
【００８１】
この場合、選択ユニット５３０は、ＵＥのためのサービングＭＭＥを選択するために、前述の原則１）及び原則２）に従い得る。言うまでもなく、選択ユニットは、前述の原則３）及び原則４）に更に従うことができ、ここで、実施及び効果は、前述の方法実施例の実施及び効果と同じであり、ここではもうそれ以上繰り返されない。
【００８２】
図６を参照する。図６は、本発明の実施例による別の基地局の概略構造図である。基地局は、図３又は図４において示された実施例で提供されるいずれか１つの方法を実施するように構成される。基地局は、図５において示されたユニットを含むばかりでなく、判定ユニット５４０も含む。判定ユニット５４０は、基地局に接続された複数のＭＭＥにおいて最高の優先順位を有する第１のＭＭＥを判定するとともに、第１のＭＭＥを含む第１のＭＭＥプールを判定するように構成される。選択ユニット５３０は、図３において示されるステップ３４０、若しくはステップ３５０を実施するように、又は、図４において示されるステップＳ４３０、ステップＳ４４０、若しくはステップＳ４５０を実施するように構成される。
【００８３】
さらに、前述の方法実施例において説明されるものと同じで、選択ユニット５３０が、第１のＭＭＥプールの中からＭＭＥを選択するか、又は、第１のＭＭＥプールを除くＭＭＥプール（例えば、第１のＭＭＥプールに対してバックアップを提供するＭＭＥプール）の中からサービングＭＭＥを選択するかどうかに拘わらず、選択ユニットは、選択を実行するために、原則３）に従うか、若しくは現存する選択方法を使用し、又は、それらの両方を結合することができ、それは、前述の方法実施例において説明されるものと同じであり、ここではもうそれ以上繰り返されない。
【００８４】
選択ユニット５３０が、基地局のプロセッサから独立したハードウェアとして配置されることができるとともにマイクロプロセッサの形で配置されることができるか、又は、基地局のプロセッサにおけるハードウェアとして組み込まれることができるか、又は、基地局のメモリにおけるソフトウェアとして記憶されることができ、したがって、基地局の対応するプロセッサは、選択ユニット５３０の対応する動作を実施するためにソフトウェアを呼び出す、ということに注意が必要である。取得ユニット５２０及び判定ユニット５４０の実施方法は、選択ユニット５３０の実施方法と同様であり、ここではもうそれ以上繰り返されない。受信ユニット５１０は、基地局の無線インタフェース回路のようなインタフェース回路であり得る。プロセッサは、中央演算処理装置（ＣＰＵ）、マイクロプロセッサ、シングルチップマイクロコンピュータなどであり得る。
【００８５】
図７を参照する。図７は、本発明の実施例による更に別の基地局の概略構造図である。図７において示されたように、基地局７００は、送信機７１０、受信機７２０、メモリ７３０、及び送信機７１０と受信機７２０とメモリ７３０に別々に接続されたプロセッサ７４０を含む。言うまでもなく、基地局は、アンテナのような共通コンポーネント、ベースバンド処理コンポーネント、中間無線周波数処理コンポーネント、及び入出力装置を更に含むことができ、それらは本発明の実施例においてこれによって限定されない。
【００８６】
メモリは、一組のプログラムコードを記憶するとともに、プロセッサ７４０は、前述の方法実施例のうちのいずれか１つにおいて説明されたＭＭＥ選択動作を実施するために、メモリ７３０に記憶されたプログラムコードを呼び出すように構成される。例えば、受信機７２０がＵＥのＲＲＣ接続要求を受信する場合に、プロセッサ７４０は、下記の、基地局に接続された複数のＭＭＥの優先順位情報を取得する動作と、取得された優先順位情報に従って複数のＭＭＥの中からＵＥのためのサービングＭＭＥを選択する動作とを実施するために、プログラムコードを呼び出す。
【００８７】
前述の実施例についての説明によれば、本発明がハードウェア、又はファームウェア、又はそれらの組み合わせによって実施され得るということを、当業者は明らかに理解することができる。本発明がソフトウェアによって実施される場合に、機能は、コンピュータ読み取り可能な媒体に記憶され得るか、又は、コンピュータ読み取り可能な媒体上の１つ又は複数の命令若しくはコードとして送信され得る。コンピュータ読み取り可能な媒体は、コンピュータ記憶媒体及び通信媒体を含み、ここで、通信媒体は、１つの場所から別の場所までのコンピュータプログラムの転送を容易にするあらゆる媒体を含む。記憶媒体は、コンピュータによりアクセス可能なあらゆる利用可能な媒体であり得る。コンピュータ読み取り可能な媒体の実例は、ＲＡＭ、ＲＯＭ、ＥＥＰＲＯＭ、ＣＤ−ＲＯＭ、又は他の光ディスク記憶装置、又はディスク記憶装置、又は他の磁気記憶装置、又は命令形式若しくはデータ構造形式である所望のプログラムコードを伝送若しくは記憶するために使用されることができるあらゆる他のコンピュータアクセス可能媒体を含むが、しかしそれに限定されない。さらに、あらゆる接続は、適切に、コンピュータ読み取り可能な媒体になり得る。例えば、同軸ケーブル、光ケーブル、ツイストペア、若しくはデジタル加入者回線（ＤＳＬ）を使用することにより、又は、赤外線通信、無線通信、及びマイクロ波通信のような無線技術を使用することにより、もしウェブサイト、サーバ、又は別の遠隔ソースからソフトウェアが送信される場合、その場合に、同軸ケーブル、又は光ケーブル、又はツイストペア、又はＤＳＬ、又は赤外線通信、無線通信、及びマイクロ波通信のような無線技術は、媒体の定着に含まれる。本発明において使用されるように、ディスク（Ｄｉｓｋ）及びディスク（ｄｉｓｃ）は、コンパクトディスク（ＣＤ）、レーザーディスク、光ディスク、デジタル多目的ディスク（ＤＶＤ）、フロッピーディスク、及びブルーレイディスクを含む。一般に、ｄｉｓｋはデータを磁気的に複製し、ｄｉｓｃはレーザを使用することによりデータを光学的に複製する。それらの組み合わせは、コンピュータ読み取り可能な媒体の保護範囲内において同様に保護されるべきである。
【００８８】
結論として、前述の説明は、本発明の技術的解決法の単なる好ましい実施例であるが、しかし本発明の保護範囲を限定することを意図していない。本発明の原理の中で行われるあらゆる変更、同等の置換、又は改善は、本発明の保護範囲に含まれるべきである。
【図１】
2016527759.tif 000003
【図２】
2016527759.tif 000004
【図３】
2016527759.tif 000005
【図４】
2016527759.tif 000006
【図５】
2016527759.tif 000007
【図６】
2016527759.tif 000008
【図７】
2016527759.tif 000009
【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
モビリティ管理エンティティ（ＭＭＥ）を選択するための方法であって、
基地局により、ユーザ装置の無線リソース制御（ＲＲＣ）接続要求を受信するステップと、
前記基地局により、前記基地局に接続された複数のＭＭＥの優先順位情報を取得するステップと、
前記基地局により、前記の取得された優先順位情報に従って前記複数のＭＭＥの中から前記ユーザ装置のためのサービングＭＭＥを選択するステップとを含む、方法。
【請求項２】
前記複数のＭＭＥが第１のＭＭＥプールにおけるＭＭＥ及び第２のＭＭＥプールにおけるＭＭＥを含み、前記第２のＭＭＥプールが前記第１のＭＭＥプールに対してバックアップを提供し、前記第１のＭＭＥプールにおける最優先ＭＭＥの優先順位が第１の優先順位であり、前記第２のＭＭＥプールにおける最優先ＭＭＥの優先順位が第２の優先順位であり、前記第１の優先順位が前記第２の優先順位と異なる、請求項１に記載の方法。
【請求項３】
前記第１の優先順位が前記第２の優先順位より高い、請求項２に記載の方法。
【請求項４】
前記基地局により、前記の取得された優先順位情報に従って前記複数のＭＭＥの中から前記ユーザ装置のためのサービングＭＭＥを選択する前記ステップが、下記の、
各ＭＭＥプールの優先順位が前記ＭＭＥプールの中の最優先ＭＭＥの優先順位であるとして、最初に最優先ＭＭＥプールの中から前記ユーザ装置のためのＭＭＥを選択するとともに、
前記最優先ＭＭＥプールにおいてＭＭＥが利用可能ではない場合に、準最優先ＭＭＥプールの中からＭＭＥを選択する原則に従う、請求項２又は請求項３に記載の方法。
【請求項５】
前記基地局により、前記の取得された優先順位情報に従って前記複数のＭＭＥの中から前記ユーザ装置のためのサービングＭＭＥを選択する前記ステップが、下記の、
ＭＭＥプールにおいて最初に最優先ＭＭＥを選択する原則に更に従う、請求項４に記載の方法。
【請求項６】
前記基地局により、前記の取得された優先順位情報に従って前記複数のＭＭＥの中から前記ユーザ装置のためのサービングＭＭＥを選択する前記ステップが、下記の、
複数のＭＭＥが同じ優先順位を有する場合に、前記同じ優先順位を有する前記複数のＭＭＥの中から前記ＭＭＥの収容能力及び負荷に従って前記ユーザ装置のためのＭＭＥを選択する原則に更に従う、請求項４又は請求項５に記載の方法。
【請求項７】
前記基地局により、前記の取得された優先順位情報に従って前記複数のＭＭＥの中から前記ユーザ装置のためのサービングＭＭＥを選択する前記ステップが、
前記基地局により、前記複数のＭＭＥにおいて最高の優先順位を有する第１のＭＭＥを判定するステップと、
前記基地局により、前記第１のＭＭＥを含む第１のＭＭＥプールを判定するステップと、
前記基地局により、前記第１のＭＭＥプールが利用可能なＭＭＥを含む場合に、前記第１のＭＭＥプールにおける前記利用可能なＭＭＥの中から前記ユーザ装置のための前記サービングＭＭＥを選択するステップ、又は、
前記基地局により、前記第１のＭＭＥプールが利用可能なＭＭＥを含まない場合に、前記第１のＭＭＥプールを除くＭＭＥプールの中から前記ユーザ装置のための前記サービングＭＭＥを選択するステップとを含む、請求項１から請求項６のいずれか一項に記載の方法。
【請求項８】
前記基地局により、前記の取得された優先順位情報に従って前記複数のＭＭＥの中から前記ユーザ装置のためのサービングＭＭＥを選択する前記ステップが、
前記基地局により、前記複数のＭＭＥにおいて最高の優先順位を有する第１のＭＭＥを判定するステップと、
前記基地局により、前記第１のＭＭＥが利用可能である場合に、前記第１のＭＭＥを前記サービングＭＭＥとして選択するステップ、又は、
前記基地局により、前記第１のＭＭＥが利用不可能であるとともに、前記第１のＭＭＥを含む第１のＭＭＥプールが利用可能なＭＭＥを含む場合に、前記第１のＭＭＥプールにおける前記利用可能なＭＭＥの中から前記ユーザ装置のための前記サービングＭＭＥを選択するステップ、又は、
前記基地局により、前記第１のＭＭＥが利用不可能であるとともに、前記第１のＭＭＥを含む第１のＭＭＥプールが利用可能なＭＭＥを含まない場合に、前記第１のＭＭＥプールを除くＭＭＥプールの中から前記ユーザ装置のための前記サービングＭＭＥを選択するステップとを含む、請求項１から請求項６のいずれか一項に記載の方法。
【請求項９】
前記基地局により、前記第１のＭＭＥプールにおける前記利用可能なＭＭＥの中から前記ユーザ装置のための前記サービングＭＭＥを選択する前記ステップが、
前記基地局により、前記第１のＭＭＥプールにおける前記利用可能なＭＭＥの中から最優先ＭＭＥを前記サービングＭＭＥとして選択するステップ、又は、
前記基地局により、前記第１のＭＭＥプールにおける前記利用可能なＭＭＥの収容能力及び負荷に従って前記サービングＭＭＥを選択するステップを含む、請求項７又は請求項８に記載の方法。
【請求項１０】
前記基地局により、前記第１のＭＭＥプールを除くＭＭＥプールの中から前記ユーザ装置のための前記サービングＭＭＥを選択する前記ステップが、
前記基地局により、前記第１のＭＭＥプールを除く前記ＭＭＥプールの中から前記最高の優先順位を有する利用可能なＭＭＥを前記サービングＭＭＥとして選択するステップ、又は、
前記基地局により、前記第１のＭＭＥプールを除く前記ＭＭＥプールにおける利用可能なＭＭＥの収容能力及び負荷に従って前記サービングＭＭＥを選択するステップを含む、請求項７から請求項９のいずれか一項に記載の方法。
【請求項１１】
基地局であって、
ユーザ装置の無線リソース制御（ＲＲＣ）接続要求を受信するように構成される受信ユニットと、
前記基地局に接続された複数のＭＭＥの優先順位情報を取得するように構成される取得ユニットと、
前記取得ユニットにより取得された前記優先順位情報に従って前記複数のＭＭＥの中から前記ユーザ装置のためのサービングＭＭＥを選択するように構成される選択ユニットとを備える、基地局。
【請求項１２】
前記複数のＭＭＥが第１のＭＭＥプールにおけるＭＭＥ及び第２のＭＭＥプールにおけるＭＭＥを含み、前記第２のＭＭＥプールが前記第１のＭＭＥプールに対してバックアップを提供し、前記第１のＭＭＥプールにおける最優先ＭＭＥの優先順位が第１の優先順位であり、前記第２のＭＭＥプールにおける最優先ＭＭＥの優先順位が第２の優先順位であり、前記第１の優先順位が前記第２の優先順位と異なる、請求項１１に記載の基地局。
【請求項１３】
前記第１の優先順位が前記第２の優先順位より高い、請求項１２に記載の基地局。
【請求項１４】
前記の取得された優先順位情報に従って前記複数のＭＭＥの中から前記ユーザ装置のための前記サービングＭＭＥを選択する場合に、前記選択ユニットが、下記の、
各ＭＭＥプールの優先順位が前記ＭＭＥプールの中の最優先ＭＭＥの優先順位であるとして、最初に最優先ＭＭＥプールの中から前記ユーザ装置のためのＭＭＥを選択するとともに、
前記最優先ＭＭＥプールにおいてＭＭＥが利用可能ではない場合に、準最優先ＭＭＥプールの中からＭＭＥを選択する原則に従う、請求項１２又は請求項１３に記載の基地局。
【請求項１５】
前記の取得された優先順位情報に従って前記複数のＭＭＥの中から前記ユーザ装置のための前記サービングＭＭＥを選択する場合に、前記選択ユニットが、下記の、
ＭＭＥプールにおいて最初に最優先ＭＭＥを選択する原則に更に従う、請求項１４に記載の基地局。
【請求項１６】
前記の取得された優先順位情報に従って前記複数のＭＭＥの中から前記ユーザ装置のための前記サービングＭＭＥを選択する場合に、前記選択ユニットが、下記の、
複数のＭＭＥが同じ優先順位を有する場合に、前記同じ優先順位を有する前記複数のＭＭＥの中から前記ＭＭＥの収容能力及び負荷に従って前記ユーザ装置のためのＭＭＥを選択する原則に更に従う、請求項１４又は請求項１５に記載の基地局。
【請求項１７】
当該基地局が、
前記複数のＭＭＥにおいて最高の優先順位を有する第１のＭＭＥを判定するとともに、前記第１のＭＭＥを含む第１のＭＭＥプールを判定するように構成される判定ユニットを更に備え、
前記選択ユニットが、
前記第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、
前記第１のＭＭＥプールが利用可能なＭＭＥを含まない場合に、前記第１のＭＭＥプールを除くＭＭＥプールの中から前記ユーザ装置のための前記サービングＭＭＥを選択するように構成される、請求項１１から請求項１６のいずれか一項に記載の基地局。
【請求項１８】
前記複数のＭＭＥにおいて最高の優先順位を有する第１のＭＭＥを判定するように構成される判定ユニットを更に備え、
前記選択ユニットが、
前記第１のＭＭＥが利用可能である場合に、前記第１のＭＭＥを前記サービングＭＭＥとして選択するか、又は、
前記第１のＭＭＥが利用不可能であるとともに、前記第１のＭＭＥを含む第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、
前記第１のＭＭＥが利用不可能であるとともに、前記第１のＭＭＥを含む第１のＭＭＥプールが利用可能なＭＭＥを含まない場合に、前記第１のＭＭＥプールを除くＭＭＥプールの中から前記ユーザ装置のための前記サービングＭＭＥを選択するように構成される、請求項１１から請求項１６のいずれか一項に記載の基地局。
【請求項１９】
前記選択ユニットが前記第１のＭＭＥプールにおける前記利用可能なＭＭＥの中から前記ユーザ装置のための前記サービングＭＭＥを選択するように構成される場合に、前記選択ユニットが、
前記第１のＭＭＥプールにおける前記利用可能なＭＭＥの中から最優先ＭＭＥを前記サービングＭＭＥとして選択するか、又は、
前記第１のＭＭＥプールにおける前記利用可能なＭＭＥの収容能力及び負荷に従って前記サービングＭＭＥを選択するように構成される、請求項１７又は請求項１８に記載の基地局。
【請求項２０】
前記選択ユニットが前記第１のＭＭＥプールを除くＭＭＥプールの中から前記ユーザ装置のための前記サービングＭＭＥを選択するように構成される場合に、前記選択ユニットが、
前記第１のＭＭＥプールを除く前記ＭＭＥプールの中から前記最高の優先順位を有する利用可能なＭＭＥを前記サービングＭＭＥとして選択するか、又は、
前記第１のＭＭＥプールを除く前記ＭＭＥプールにおける利用可能なＭＭＥの収容能力及び負荷に従って前記サービングＭＭＥを選択するように構成される、請求項１７から請求項１９のいずれか一項に記載の基地局。
【請求項２１】
請求項１から請求項１０のいずれか一項において指定される方法をコンピュータに実行させるプログラム。
【手続補正２】
【補正対象書類名】明細書
【補正対象項目名】０００７
【補正方法】変更
【補正の内容】
【０００７】
第１の態様は、モビリティ管理エンティティ（ＭＭＥ）を選択するための方法であって、基地局により、ユーザ装置の無線リソース制御（ＲＲＣ）接続要求を受信するステップと、前記基地局により、前記基地局に接続された複数のＭＭＥの優先順位情報を取得するステップと、前記基地局により、前記の取得された優先順位情報に従って前記複数のＭＭＥの中から前記ユーザ装置のためのサービングＭＭＥを選択するステップとを含む、方法を提供する。
【手続補正３】
【補正対象書類名】明細書
【補正対象項目名】００１７
【補正方法】変更
【補正の内容】
【００１７】
第２の態様は、基地局であって、ユーザ装置の無線リソース制御（ＲＲＣ）接続要求を受信するように構成される受信ユニットと、前記基地局に接続された複数のＭＭＥの優先順位情報を取得するように構成される取得ユニットと、前記取得ユニットにより取得された前記優先順位情報に従って前記複数のＭＭＥの中から前記ユーザ装置のためのサービングＭＭＥを選択するように構成される選択ユニットとを含む、基地局を提供する。
【手続補正４】
【補正対象書類名】明細書
【補正対象項目名】００２３
【補正方法】変更
【補正の内容】
【００２３】
第２の態様、又は第２の態様の第１から第５の可能な実施方法のうちの１つに関連して、第２の態様の第６の可能な実施方法において、当該基地局は、前記複数のＭＭＥにおいて最高の優先順位を有する第１のＭＭＥを判定するとともに、前記第１のＭＭＥを含む第１のＭＭＥプールを判定するように構成される判定ユニットを更に含み、前記選択ユニットが、前記第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、前記第１のＭＭＥプールが利用可能なＭＭＥを含まない場合に、前記第１のＭＭＥプールを除くＭＭＥプールの中から前記ユーザ装置のための前記サービングＭＭＥを選択するように構成される。
【手続補正５】
【補正対象書類名】明細書
【補正対象項目名】００２４
【補正方法】変更
【補正の内容】
【００２４】
第２の態様、又は第２の態様の第１から第５の可能な実施方法のうちの１つに関連して、第２の態様の第７の可能な実施方法において、当該基地局は、前記複数のＭＭＥにおいて最高の優先順位を有する第１のＭＭＥを判定するように構成される判定ユニットを更に含み、前記選択ユニットが、前記第１のＭＭＥが利用可能である場合に、前記第１のＭＭＥを前記サービングＭＭＥとして選択するか、又は、前記第１のＭＭＥが利用不可能であるとともに、前記第１のＭＭＥを含む第１のＭＭＥプールが利用可能なＭＭＥを含む場合に、前記第１のＭＭＥプールにおける前記利用可能なＭＭＥの中から前記ユーザ装置のための前記サービングＭＭＥを選択するか、又は、前記第１のＭＭＥが利用不可能であるとともに、前記第１のＭＭＥを含む第１のＭＭＥプールが利用可能なＭＭＥを含まない場合に、前記第１のＭＭＥプールを除くＭＭＥプールの中から前記ユーザ装置のための前記サービングＭＭＥを選択するように構成される。
【手続補正６】
【補正対象書類名】明細書
【補正対象項目名】００２５
【補正方法】変更
【補正の内容】
【００２５】
第２の態様の第６又は第７の可能な実施方法に関連して、第２の態様の第８の可能な実施方法において、前記選択ユニットが前記第１のＭＭＥプールにおける前記利用可能なＭＭＥの中から前記ユーザ装置のための前記サービングＭＭＥを選択するように構成される場合に、前記選択ユニットは、前記第１のＭＭＥプールにおける前記利用可能なＭＭＥの中から最優先ＭＭＥを前記サービングＭＭＥとして選択するか、又は、前記第１のＭＭＥプールにおける前記利用可能なＭＭＥの収容能力及び負荷に従って前記サービングＭＭＥを選択するように構成される。
【手続補正７】
【補正対象書類名】明細書
【補正対象項目名】００２６
【補正方法】変更
【補正の内容】
【００２６】
第２の態様の第６から第８の可能な実施方法のうちの１つに関連して、第２の態様の第９の可能な実施方法において、前記選択ユニットが前記第１のＭＭＥプールを除くＭＭＥプールの中から前記ユーザ装置のための前記サービングＭＭＥを選択するように構成される場合に、前記選択ユニットが、前記第１のＭＭＥプールを除く前記ＭＭＥプールの中から前記最高の優先順位を有する利用可能なＭＭＥを前記サービングＭＭＥとして選択するか、又は、前記第１のＭＭＥプールを除く前記ＭＭＥプールにおける利用可能なＭＭＥの収容能力及び負荷に従って前記サービングＭＭＥを選択するように構成される。
【手続補正８】
【補正対象書類名】明細書
【補正対象項目名】００８７
【補正方法】変更
【補正の内容】
【００８７】
前述の実施例についての説明によれば、本発明がハードウェア、又はファームウェア、又はそれらの組み合わせによって実施され得るということを、当業者は明らかに理解することができる。本発明がソフトウェアによって実施される場合に、機能は、コンピュータ読み取り可能な媒体に記憶され得るか、又は、コンピュータ読み取り可能な媒体上の１つ又は複数の命令若しくはコードとして送信され得る。コンピュータ読み取り可能な媒体は、コンピュータ記憶媒体及び通信媒体を含み、ここで、通信媒体は、１つの場所から別の場所までのコンピュータプログラムの転送を容易にするあらゆる媒体を含む。記憶媒体は、コンピュータによりアクセス可能なあらゆる利用可能な媒体であり得る。コンピュータ読み取り可能な媒体の実例は、ＲＡＭ、ＲＯＭ、ＥＥＰＲＯＭ、ＣＤ−ＲＯＭ、又は他の光ディスク記憶装置、又はディスク記憶装置、又は他の磁気記憶装置、又は命令形式若しくはデータ構造形式である所望のプログラムコードを伝送若しくは記憶するために使用されることができるあらゆる他のコンピュータアクセス可能媒体を含むが、しかしそれに限定されない。さらに、あらゆる接続は、適切に、コンピュータ読み取り可能な媒体になり得る。例えば、同軸ケーブル、光ケーブル、ツイストペア、若しくはデジタル加入者回線（ＤＳＬ）を使用することにより、又は、赤外線通信、無線通信、及びマイクロ波通信のような無線技術を使用することにより、もしウェブサイト、サーバ、又は別の遠隔ソースからソフトウェアが送信される場合、その場合に、同軸ケーブル、又は光ケーブル、又はツイストペア、又はＤＳＬ、又は赤外線通信、無線通信、及びマイクロ波通信のような無線技術は、媒体の付属物に含まれる。本発明において使用されるように、ディスク（Ｄｉｓｋ）及びディスク（ｄｉｓｃ）は、コンパクトディスク（ＣＤ）、レーザーディスク、光ディスク、デジタル多目的ディスク（ＤＶＤ）、フロッピーディスク、及びブルーレイディスクを含む。一般に、ｄｉｓｋはデータを磁気的に複製し、ｄｉｓｃはレーザを使用することによりデータを光学的に複製する。それらの組み合わせは、コンピュータ読み取り可能な媒体の保護範囲内において同様に保護されるべきである。
【国際調査報告】
2016527759.tif 000010
2016527759.tif 000011
2016527759.tif 000012
2016527759.tif 000013